(57)【要約】【課題】  鳥類の飛来を有効に防止できるとともに、鳥類及び人体に危害を加える恐れのない鳥害防止具を提供する。【解決手段】  少なくとも外側が側面視略逆Ｖ字状に形成された一対の傾斜部４，４をそれぞれ備えるとともに、所定間隔で略平行に配列された複数の防鳥部２と、上記傾斜部の両側において上記防鳥部の配列方向に延びるとともに、上記防鳥部を一体的に連結する連結部５，６とを備え、上記連結部が、上記防鳥部のＶ字頂部から下方へ所定距離離れた位置に配置して構成されている。【選択図】図１
0003113585.tif 000002
【実用新案登録請求の範囲】
【請求項１】
少なくとも外側が側面視略逆Ｖ字状に形成された一対の傾斜部をそれぞれ備えるとともに、所定間隔で略平行に配列された複数の防鳥部と、
上記傾斜部の両側において上記防鳥部の配列方向に延びるとともに、上記防鳥部を一体的に連結する連結部とを備え、
上記連結部が、上記防鳥部のＶ字頂部から下方へ所定距離離れた位置に配置されている、鳥害防止具。
【請求項２】
上記防鳥部は、線材を略逆Ｖ字状に曲折形成して構成されている、請求項１に記載の鳥害防止具。
【請求項３】
上記線材の直径を３ｍｍ以下に設定した請求項２に記載の鳥害防止具。
【請求項４】
上記防鳥部のＶ字頂部に所定の丸みを持たせた、請求項１から請求項３のいずれかに記載の鳥害防止具。
【請求項５】
上記傾斜部が水平方向に対して、各々４５°以上の傾斜角度となるように曲折形成されている、請求項１から請求項４のいずれかに記載の鳥害防止具。
【請求項６】
上記鳥害防止具が鳩を対象とするものであり、上記複数の防鳥部を、４０ｍｍ以下の間隔で略平行に配列するとともに、
上記連結部を、上記防鳥部のＶ字頂部から下方へ１００ｍｍ以上離れた位置に設けた、請求項１から請求項５のいずれかに記載の鳥害防止具。
【請求項７】
上記傾斜部の各端部から下方に曲折して延びる脚部を備える、請求項１から請求項７のいずれかに記載の鳥害防止具。
【請求項８】
上記連結部を、上記傾斜部の下端部から下方へ所定距離離れた上記脚部に設けた、請求項７に記載の鳥害防止具。
【請求項９】
上記各連結部が、複数の線材を平行に配置して構成されている、請求項１から請求項８のいずれかに記載の鳥害防止具。
【考案の詳細な説明】
【技術分野】
【０００１】
本願考案は鳥害防止具に関する。詳しくは、鳥を傷つけることがなく、また、人体に対しての安全性も高い鳥害防止具に関する。
【背景技術】
【０００２】
マンションの屋上パラペットや、ベランダの手すり等に鳩等の鳥類が飛来するのを防止するため、様々な形態の鳥害防止具が設置されている。
【０００３】
【特許文献１】特開２００３−３１０１３６号
【特許文献２】特開２００１−２０４３６１号
【０００４】
上記特許文献に記載されている従来の鳥害防止具は、鋭利な先端を備える針状体を所定間隔で配置することにより形成されている。上記針状体によって、鳥類は飛来することができず、鳥害を有効に防止することができる。
【考案の開示】
【考案が解決しようとする課題】
【０００５】
上記従来の鳥害防止具は鳥類が飛来できないように形成されているが、誤って飛来した場合には、上記針状体によって羽根が傷められる。羽根に傷害を受けると化膿して死に至ることも多い。このため、愛鳥家のみならず、一般の鳥害被害者でも採用することができない場合が多い。
【０００６】
また、上記鋭利な針状体は、鳥類に対して危害を与える恐れがあるばかりではなく、誤って人体に接触しても非常に危険である。このため、従来の鳥害防止具は、人が立ち入る場所や、子供の遊び場の近傍に設けることができない。
【０００７】
さらに、屋上のパラペット等に取り付ける場合、風等によって外れると非常に危険である。このため、強固に固定する必要があり、必要に応じて移動させることもできない。
【０００８】
本願考案は、上記従来の問題を解決するために考案されたものであって、鳥類の飛来を有効に防止できるとともに、鳥類及び人体に危害を加える恐れのない鳥害防止具を提供するものである。
【０００９】
本願の請求項１に記載した鳥害防止具に係る考案は、少なくとも外側が側面視略逆Ｖ字状に形成された一対の傾斜部をそれぞれ備えるとともに、所定間隔で略平行に配列された複数の防鳥部と、上記傾斜部の両側において上記防鳥部の配列方向に延びるとともに、上記防鳥部を一体的に連結する連結部とを備え、上記連結部が、上記防鳥部のＶ字頂部から下方へ所定距離離れた位置に配置して構成されている。
【００１０】
鳥類は、ある程度平坦な場所か、あるいは手指でつかむことのできる略水平な棒状体がなければ飛来することができない。本願考案は、鳥類のこの習性を利用して案出されたものであって、少なくとも外側が、側面視略逆Ｖ字状に形成された一対の傾斜部を備える複数の防鳥部を所定間隔で配列することにより、鳥類が飛来できないようにしたものである。
【００１１】
上記傾斜部は、鳥類が手指でつかんでとまれないように、少なくとも外側が側面視略逆Ｖ字状に傾斜して形成されていれば足りる。なお、請求項２に記載した考案のように、上記防鳥部を、たとえば、金属線材等を略逆Ｖ字状に曲折形成して構成することもできる。また、複数の傾斜部を水平方向に連続的に形成した構成を採用することができる。また、複数の傾斜部を角度を持たせて連続配置して構成することもできる。
【００１２】
さらに、請求項３に記載した考案のように、防鳥部を直径が３ｍｍ以下の線材で形成すると、鳥害の対象となるほとんどの鳥類の手指で握持しにくくなる。このため、より高い効果を期待できる。
【００１３】
本願考案では、外側を略Ｖ字状に形成した防鳥部によって鳥類の飛来を防止するため、鳥類が誤って飛来した場合でも、羽根を傷つける恐れはほとんどない。もちろん、頂部に人が誤って接触した場合でも、怪我をする恐れは少なく、安全性が高い。さらに、安全性をより高めるため、請求項４に記載した考案のように、上記防鳥部のＶ字頂部に所定の丸みを持たせるのが望ましい。なお、飛来阻止効果を高めるには、上記丸みは小さく設定するのが好ましい。たとえば、金属線材を利用する場合には、これら線材をＶ字状に折り曲げた時に、線材の太さから自然に形成される丸みを利用するのが好ましい。
【００１４】
鳥類がとまれないようにするには、上記傾斜部に所定の角度を持たせる必要がある。上記傾斜部の角度は、請求項５に記載した考案のように、水平方向に対して、各々４５°以上に設定るするのが望ましい。４５°以下の角度に設定すると、鳥類によっては、上記防鳥部を手指でつかんでとまることが可能となるからである。
【００１５】
上記防鳥部の間隔は、飛来を防止する鳥類によって設定することができる。通常、上記間隔は対象となる鳥類の胴の幅より小さく設定すれば足りる。たとえば、鳩の飛来を防止するには、請求項６に記載した考案のように、上記複数の防鳥部を、４０ｍｍ以下の間隔で配列すればよい。４０ｍｍ以上の間隔を設定すると、鳩が防鳥部の内部に入り込む恐れがある。上記間隔は小さく設定することもできるが、経済性の観点から３０ｍｍ〜４０ｍｍの間隔で配列するのが好ましい。
【００１６】
上記防鳥部を構成する材料は限定されることはない。金属等の線材のみならず、樹脂製の部材を利用することもできる。また、逆Ｖ字状の外側を形成する手法も特に限定されることはなく、金属線材を折り曲げて形成することもできるし、樹脂等を用いて一体成形することもできる。
【００１７】
上記複数の防鳥部は、連結部によって一体的に連結される。上記連結部は、上記傾斜部の両側において上記防鳥部の配列方向に延びるように配置されるが、上記連結部を、上記傾斜部のＶ字頂部の近傍に設けたのでは、この連結部あるいは上記防鳥部と連結部との交差部を鳥の手指でつかむことが可能となる。したがって、上記連結部は、対象となる鳥類の胴ないし羽根が、上記防鳥部の外面と干渉して、鳥の手指が届かない位置に設定する必要がある。上記連結部の位置は、飛来を防止する鳥類の種類によって設定することができる。たとえば、鳩の飛来を防止するには、請求項６に記載した考案のように、上記連結部を、上記防鳥部のＶ字頂部から下方へ１００ｍｍ以上離れた位置に設けるのが好ましい。
【００１８】
また、上記連結部によって一体連結される防鳥部の数も限定されることはない。たとえば、全体が１ｍ程度の長さになるように、上記防鳥部の数を設定することにより、製作及び取り付けが容易になる。
【００１９】
本願の請求項７に記載した考案は、上記傾斜部の各端部から下方に曲折して延びる脚部を備えるものである。上記脚部は、主として、鳥害防止具を設置あるいは取りつけるために設けられるものであり、鳥類がとまれないように鉛直下方に向けて延出形成するのが好ましい。
【００２０】
また、上記脚部を設けることにより、防鳥部の高さを低く抑えた形態で、上記傾斜部の幅を大きく設定することが可能となる。このため、広い面積に適用できる鳥害防止具を提供できる。また、上記脚部に上記連結部を設けることにより、防鳥部の連結強度を高めることができる。
【００２１】
一方、上記脚部は上記防鳥部から角度を変更して延出するものであるため、上記防鳥部と上記脚部の曲折部近傍に上記連結部を設けると、上記連結部あるいは上記連結部と上記防鳥部の交差部を鳥の手指でつかんでとまることが可能となる。上記問題を回避するため、請求項８に記載した考案のように、上記連結部を、上記傾斜部の下端部から下方へ所定距離離れた位置に設ける必要がある。たとえば、鳩を対象とする場合には、上記連結部を上記傾斜部の下端部から３０ｍｍ以上下方に設定するのが好ましい。
【００２２】
本願の請求項９に記載した考案は、上記各連結部が、複数の線材を平行に配置して構成されているものである。複数の線材を用いて上記連結部を形成することにより、上記防鳥部を強度高く連結保持することが可能となり、細い線材で形成しても所要の強度を確保することができる。また、防鳥部と同じ材料を利用できるため、製造コストをて低減させることができる。
【考案を実施するための最良の形態】
【００２３】
以下、本願考案の実施の形態を図に基づいて具体的に説明する。
【００２４】
図１に示すように、本願考案に係る鳥害防止具１は、側面視略逆Ｖ字状に曲折形成された一対の傾斜部４，４をそれぞれ備えるとともに、所定間隔で略平行に配列された複数の防鳥部２と、上記傾斜部４，４の両側下端部において上記防鳥部の配列方向に延びるとともに、上記防鳥部を一体的に連結する連結部５，６とを備えて構成されている。防鳥部２及び連結部５，６は、直径約２ｍｍのステンレス線材を用いて形成されており、上記防鳥部２と連結部５，６とが溶接によって接合されている。
【００２５】
図４に示すように、本実施の形態では、上記傾斜部４，４は、水平方向からＲ1 ＝約７０度の角度に設定されている。上記傾斜部４，４を上記角度に設定することにより、鳥類は上記傾斜部４，４を手指でつかんでとまることはできない。また、上記防鳥部２のＶ字頂部３には、鳥が誤って飛来した場合でも羽根を傷めないように、若干の丸みが設けられている。上記防鳥部２は、図３に示すように、Ｗ1 ＝４０ｍｍの間隔で配列されている。
【００２６】
本実施の形態に係る上記連結部５，６は、上記防鳥部２を構成する線材と同じステンレス線材を２本を平行に配置して構成されている。これにより、上記複数の防鳥部２を、一定間隔で強度高く保持することができる。
【００２７】
また、図３及び図４に示すように、上記連結部５，６は、上記防鳥部２のＶ字頂部３から下方にＨ1 ＝１４０ｍｍの位置に設置されている。これにより、鳥が上記連結部５，６、あるいは上記連結部５，６と防鳥部４の交差部にとまるのを防止することができる。
【００２８】
図６及び図７を用いて、本願考案に係る鳥害防止具１の作用効果を説明する。
【００２９】
本実施の形態に係る鳥害防止具１は、主として鳩７の飛来を防止する目的で構成されている。図６に示すように、線材から構成された防鳥部２を約４０ｍｍの間隔で配列しているため、鳩７は、胴部が上記傾斜部４と干渉して、鳥害防止具１の内部に入ることはできない。また、図７に示すように、上記傾斜部４，４が、水平方向から７０°の角度で形成されるとともに、上記連結部５がＶ字頂部３からＨ1 ＝１４０ｍｍ下方に設置されているため、手指８が上記防鳥部間に入ったとしても、尾の部分が上記傾斜部４と干渉して、上連結部５や、連結部５と防鳥部４の交差部をつかむこともできない。このため、鳩７の飛来を有効に防止することができる。
【００３０】
図８に示すように、本願考案に係る鳥害防止具１は、ベランダの手すり部分や屋上のパラペットに設置することができる。設置方法は特に限定されるたとはなく、フック状の金具９等を用いて容易に固定することができる。
【００３１】
鳥類は、電線や軒の縁部に飛来してとまることが多い。このため、上記鳥害防止具１をベランダの手すり部分や、屋上のパラペット１０の上部に沿って配置することにより、鳥類の飛来を有効に防止できる。また、これらの図から明らかなように、本願考案に係る鳥害防止具１は、鳥の羽根等を傷つける恐れはなく、愛鳥家から非難される恐れもない。また、人体に対しても安全であるため、人が出入りするベランダや子供の遊び場近傍に設置することも可能となる。
【００３２】
図９から図１２に、本願考案の第２の実施の形態を示す。これらの図に示す鳥害防止具２１は、略逆Ｖ字状に曲折形成された一対の傾斜部２４，２４と、上記傾斜部２４，２４の各端部から鉛直下方に曲折して延びる脚部２９，２９とを備える複数の防鳥部２２を配列して構成されている。
【００３３】
上記脚部２９，２９に、上記防鳥部２２の配列方向に延びる連結部材２５，２６を溶接により接合することにより、平行に配列した複数の防鳥部２２が一体的に連結保持されている。なお、上記防鳥部２２の配列間隔は、上記と第１の実施の形態と同様にＷ2 ＝４０ｍｍに設定されている。
【００３４】
本実施の形態では、図１１に示すように、上記傾斜部材２４，２４の水平方向からの傾斜角度Ｒ2 を５０°に設定している。上記脚部２９，２９を設けることにより、高さを増加させることなく、横幅の大きい鳥害防止具２１を形成することが可能となる。これにより、広い幅にわたって、鳥類の飛来を防止することができる。
【００３５】
本実施の形態では、上記脚部２９，２９に連結部材２５，２６を配置している。一方、上方の連結部材２５を上記傾斜部２４，２４の下端部、すなわち曲折部分に近接させて設けると、鳥類の手指で、上記連結部材２５、あるいは連結部材２５と脚部２９との交差部をつかむことが可能となる。上記問題が生じないように、本実施の形態では、上記連結部材２５を、上記傾斜部２４，２４の下端部からのＨ2 ＝３０ｍｍ下方に位置させている。上記構成よって、鳩等の胴部が上記傾斜部２４，２４と干渉して、手指で上記連結部２５，２５をつかむことが不可能となり、飛来を有効に防止することができる。
【００３６】
図１３及び図１４にに、本願考案の第３の実施の形態を示す。これらの図に示す鳥害防止具３１は、逆Ｖ字状に形成した傾斜部３４を連続的に設けて防鳥部３２を形成したものである。この場合、各傾斜部の角度を、水平方向から４５度以上に設定するのが好ましい。なお、図に示す鳥害防止具３１の場合には、最外側の頂部から内側に延びる傾斜部の水平方向からの角度が４５度以下になっているが、隣接する傾斜部に邪魔されるため鳥は飛来することができない。
【００３７】
本願考案は、上述した実施の形態に限定されることはない。実施の形態では、ステンレス線材を用いて、鳥害防止具の１，２１の全体を構成したが、他の材料から形成される線材を用いて構成することもできる。また、上記防鳥部を樹脂で成形することもできる。
【００３８】
また、上記防鳥部を構成する線材と同じ線材を用いて連結部を構成したが、傾斜部を備える防鳥部を所定間隔で保持できるものであればどのような形態のものでもよく、たとえば、樹脂製の棒状材を採用することもできる。
【００３９】
また、実施の形態は、鳩を対象とした寸法に設定したが、全体の大きさや線材の太さ等を変更して、種々の鳥類を対象とする鳥害防止具を構成することができる。
【００４０】
また、実施の形態では、本願考案に係る鳥害防止具をベランダ等に設置したが、設置場所は限定されることはない。たとえば、畑の畝に沿って設けることもできる。
【図面の簡単な説明】
【００４１】
【図１】本願考案に係る鳥害防止具の第１の実施の形態を示す全体斜視図である。
【図２】図１に示す鳥害防止具の要部拡大図である。
【図３】図１に示す鳥害防止具の要部の正面図である。
【図４】図３に示す鳥害防止具の側面図である。
【図５】図３に示す鳥害防止具の要部の平面図である。
【図６】図３に示す鳥害防止具の作用を説明する図である。
【図７】図３に示す鳥害防止具の作用を説明する図である。
【図８】図３に示す鳥害防止具の取付状態を示す全体斜視図である。
【図９】本願考案に係る鳥害防止具の第２の実施の形態を示す全体斜視図である。
【図１０】図９に示す鳥害防止具の要部の正面図である。
【図１１】図９に示す鳥害防止具の側面図である。
【図１２】図９に示す鳥害防止具の要部の平面図である。
【図１３】本願考案に係る鳥害防止具の第３の実施の形態を示す全体斜視図である。
【図１４】図１３に示す鳥害防止具の側面図である。
【符号の説明】
【００４２】
１  鳥害防止具
２  防鳥部
３  Ｖ字頂部
４  傾斜部
５  連結部
６  連結部
【図１】
0003113585.tif 000003
【図２】
0003113585.tif 000004
【図３】
0003113585.tif 000005
【図４】
0003113585.tif 000006
【図５】
0003113585.tif 000007
【図６】
0003113585.tif 000008
【図７】
0003113585.tif 000009
【図８】
0003113585.tif 000010
【図９】
0003113585.tif 000011
【図１０】
0003113585.tif 000012
【図１１】
0003113585.tif 000013
【図１２】
0003113585.tif 000014
【図１３】
0003113585.tif 000015
【図１４】
0003113585.tif 000016
【手続補正書】
【提出日】平成17年6月27日(2005.6.27)
【手続補正１】
【補正対象書類名】実用新案登録請求の範囲
【補正対象項目名】請求項７
【補正方法】変更
【補正の内容】
【請求項７】
上記傾斜部の各端部から下方に曲折して延びる脚部を備える、請求項１から請求項６のいずれかに記載の鳥害防止具。